(57)【要約】【課題】多くの拠点間で接続できる通信システムのサーバ装置で、受信側で使用しているディスプレイの特性に合わせて調整した映像を相手側へ配信すること。【解決手段】第１の通信装置から送信される映像信号を配信するサーバ装置と、該サーバ装置によって配信される映像信号を受信する第２の通信装置とを有する通信システムであって、第２の通信装置は、映像信号を再生し、表示する表示制御部と、表示制御部によって表示した映像の調整を要求する映像調整要求信号を作成する映像調整要求信号作成部と、サーバ装置へ映像調整要求信号を送信する送信部とを有し、サーバ装置は、第２の通信装置によって送信される映像調整要求信号を受信する受信部と、映像調整要求信号に基づいて、第１の通信装置から送信される映像信号を再生することによって得られる映像を調整する映像調整部と、第２の通信装置へ調整した映像が得られる映像信号を送信する送信部とを有する。【選択図】図７
2016040862.tif 000002
【特許請求の範囲】
【請求項１】
第１の通信装置から送信される映像信号を配信するサーバ装置と、該サーバ装置によって配信される映像信号を受信する第２の通信装置とを有する通信システムであって、
前記第２の通信装置は、
前記映像信号を再生し、表示する表示制御部と、
該表示制御部によって表示した映像の調整を要求する映像調整要求信号を作成する映像調整要求信号作成部と、
前記サーバ装置へ前記映像調整要求信号作成部によって作成した映像調整要求信号を送信する送信部と
を有し、
前記サーバ装置は、
前記第２の通信装置によって送信される映像調整要求信号を受信する受信部と、
前記受信部によって受信した映像調整要求信号に基づいて、前記第１の通信装置から送信される映像信号を再生することによって得られる映像を調整する映像調整部と、
前記第２の通信装置へ前記映像調整部によって調整した映像が得られる映像信号を送信する送信部と
を有する通信システム。
【請求項２】
前記映像調整部は、前記映像調整要求信号に付帯される情報に基づいて、前記第１の通信装置から送信される映像信号を再生することによって得られる映像の階調を補正する、請求項１に記載の通信システム。
【請求項３】
前記映像調整要求信号作成部は、映像を調整する対象となる映像を識別する識別情報と、映像を調整する際に利用するパラメータを表す情報とを付帯した映像調整要求信号を作成する、請求項１又は２に記載の通信システム。
【請求項４】
映像を調整する際に利用するパラメータを複数格納する記憶部
を有し、
前記映像調整部は、前記記憶部に格納される複数のパラメータから、前記映像調整要求信号に付帯されるパラメータを表す情報に紐付けられるパラメータを取得し、該パラメータを利用して、前記第１の通信装置から送信される映像信号を再生することによって得られる映像の階調を補正する、請求項３に記載の通信システム。
【請求項５】
第１の通信装置から送信される映像信号を第２の通信装置へ配信するサーバ装置であって、
前記第２の通信装置によって送信される、前記映像信号を再生し、表示することによって得られる映像の調整を要求する映像調整要求信号を受信する受信部と、
前記受信部によって受信された映像調整要求信号に基づいて、前記第１の通信装置から送信される映像信号を再生することによって得られる映像を調整する映像調整部と、
前記第２の通信装置へ前記映像調整部によって調整された映像が得られる映像信号を送信する送信部と
を有するサーバ装置。
【請求項６】
第１の通信装置から送信される映像信号を配信するサーバ装置と、該サーバ装置によって配信される映像信号を受信する第２の通信装置とを有する通信システムによって実行される映像調整方法であって、
前記第２の通信装置は、
前記映像信号を再生し、
該映像信号を再生し、表示することによって得られる映像の調整を要求する映像調整要求信号を作成し、
前記サーバ装置へ前記映像調整要求信号を送信し、
前記サーバ装置は、
前記第２の通信装置によって送信される映像調整要求信号を受信し、
前記映像調整要求信号に基づいて、前記第１の通信装置から送信される映像信号を再生することによって得られる映像を調整し、
前記第２の通信装置へ前記調整された映像が得られる映像信号を送信する、映像調整方法。
【請求項７】
第１の通信装置から送信される映像信号を第２の通信装置へ配信するサーバ装置によって実行される映像調整方法であって、
前記第２の通信装置によって送信される、前記映像信号を再生し、表示することによって得られる映像の調整を要求する映像調整要求信号を受信し、
前記映像調整要求信号に基づいて、前記第１の通信装置から送信される映像信号を再生することによって得られる映像を調整し、
前記第２の通信装置へ前記調整した映像が得られる映像信号を送信する、映像調整方法。
【請求項８】
第１の通信装置から送信される映像信号を第２の通信装置へ配信するサーバ装置を、
前記第２の通信装置によって送信される、前記映像信号を再生し、表示することによって得られる映像の調整を要求する映像調整要求信号を受信する受信部と、
前記受信部によって受信された映像調整要求信号に基づいて、前記第１の通信装置から送信される映像信号を再生することによって得られる映像を調整する映像調整部と、
前記第２の通信装置へ前記映像調整部によって調整された映像が得られる映像信号を送信する送信部と
して機能させるプログラム。
【発明の詳細な説明】
【技術分野】
【０００１】
本発明は、通信システムに関する。
【背景技術】
【０００２】
インターネット等の通信ネットワークを介して遠隔地との間で、遠隔会議を行うテレビ会議システムが普及している。このテレビ会議システムにおいては、遠隔会議を行う出席者等の当事者の一方がいる会議室において、遠隔テレビ会議システムの端末装置を用いて会議の当事者等の会議室の画像及び発言等の音声を撮影及び収集し、それをデジタルデータに変換して相手方の端末装置に送信し、相手方の会議室のディスプレイに表示及びスピーカにより音声出力する。これによって、実際の会議に近い状態で遠隔地間の会議を行うことができる。
【０００３】
撮像した画像を外部モニターで再生表示する際に、撮像時と同じような特性で画像を再生する目的で、撮像画像から外部モニター画面の画像を抽出し、この画面の画像からテストパターンを検出し、キャリブレーションを行うことでγ補正を行う技術が知られている（例えば、特許文献１参照）。
【発明の概要】
【発明が解決しようとする課題】
【０００４】
しかし、テレビ会議システムでは、会議を行う各拠点で用意されたディスプレイを使用しているため、ディスプレイのメーカーやモデルによりガンマ特性が異なり、映像設計者の調整した"良い映像"が表示されないことがあった。例えば、表示される映像が極端にコントラストが高い場合や階調がつぶれる等、会議で使用する映像としては適さないことがあった。そのため、見やすい映像に再調整するには各拠点でガンマ補正等のディスプレイの設定を変更する必要があったが、ディスプレイによっては設定が変更できないものがあり、再調整が困難な場合があった。
【０００５】
また、多くの拠点間でテレビ会議を行う場合には、ディスプレイに複数の拠点の映像が表示されるが、各拠点に設置されているテレビ会議システムのカメラが異なれば映像設計も異なるため、多くの拠点の中で最適に調整できる映像が一つの場合もある。この場合、受信側で使用しているディスプレイのガンマ特性に合わせて映像を配信できない。
【０００６】
本発明は、多くの拠点間で接続できる通信システムのサーバ装置で、受信側で使用しているディスプレイの特性に合わせて調整した映像を相手側へ配信することを目的とする。
【課題を解決するための手段】
【０００７】
開示の一実施例の通信システムは、
第１の通信装置から送信される映像信号を配信するサーバ装置と、該サーバ装置によって配信される映像信号を受信する第２の通信装置とを有する通信システムであって、
前記第２の通信装置は、
前記映像信号を再生し、表示する表示制御部と、
該表示制御部によって表示した映像の調整を要求する映像調整要求信号を作成する映像調整要求信号作成部と、
前記サーバ装置へ前記映像調整要求信号作成部によって作成した映像調整要求信号を送信する送信部と
を有し、
前記サーバ装置は、
前記第２の通信装置によって送信される映像調整要求信号を受信する受信部と、
前記受信部によって受信した映像調整要求信号に基づいて、前記第１の通信装置から送信される映像信号を再生することによって得られる映像を調整する映像調整部と、
前記第２の通信装置へ前記映像調整部によって調整した映像が得られる映像信号を送信する送信部と
を有する。
【発明の効果】
【０００８】
開示の実施例によれば、多くの拠点間で接続できる通信システムのサーバ装置で、受信側で使用しているディスプレイの特性に合わせて調整した映像を相手側へ配信することができる。
【図面の簡単な説明】
【０００９】
【図１】テレビ会議システムの一実施例を示す図である。
【図２】テレビ会議装置のハードウェア構成の一実施例を示す図である。
【図３】サーバ装置のハードウェア構成の一実施例を示す図である。
【図４】テレビ会議装置の一実施例を示す機能ブロック図である。
【図５】拠点ごとのディスプレイの特性、及びカメラの補正に利用するパラメータの違いの一例を示す図である。
【図６】多拠点間での会議映像の一例を示す図である。
【図７】サーバ装置の一実施例を示す機能ブロック図である。
【図８】サーバ装置の動作を示す図である。
【図９】テレビ会議システムの動作の一実施例を示すシーケンスチャートである。
【図１０】テレビ会議装置の動作の一実施例を示すフローチャートである。
【図１１】サーバ装置の動作の一実施例を示すフローチャートである。
【発明を実施するための形態】
【００１０】
次に、本発明を実施するための形態を、以下の実施例に基づき図面を参照しつつ説明する。以下で説明する実施例は一例に過ぎず、本発明が適用される実施の形態は、以下の実施例に限られない。
なお、実施例を説明するための全図において、同一機能を有するものは同一符号を用い、繰り返しの説明は省略する。
【００１１】
＜実施例＞
＜テレビ会議システム＞
図１は、テレビ会議システムの構成の一実施例を示す。テレビ会議システム１００は、テレビ会議装置１０１−１、１０１−２、１０１−３、及び１０１−４と、サーバ装置１０２とを備える。テレビ会議装置１０１−１、１０１―２、１０１−３、及び１０１−４と、サーバ装置１０２は、インターネット等のネットワーク１０３を介して接続される。
【００１２】
尚、テレビ会議システム１００は、通信システムの一例である。例えば、通信システムは、監視カメラシステム、映像配信システム等、カメラ等の撮像手段を有する他の通信システムであってもよい。テレビ会議システム、監視カメラシステム、映像配信システム等に用いられるカメラ等の撮像手段を有する装置から、画像を受信する装置を通信装置という。
【００１３】
また、以下の説明の中で、複数のテレビ会議装置１０１−１−テレビ会議装置１０１−４のうちの任意のテレビ会議装置を示す場合、「テレビ会議装置１０１」を用いる。
【００１４】
テレビ会議装置１０１は、テレビ会議システム１００に対応した端末装置である。テレビ会議装置１０１は、例えば、ＰＣ（Personal Computer）、タブレット端末、スマートフォン等の汎用の情報処理装置であってもよいし、テレビ会議システム用の専用端末等であってもよい。テレビ会議装置１０１が汎用の情報処理装置である場合、テレビ会議装置１０１の各機能は、例えば、情報処理装置にインストールされたテレビ会議装置用のプログラム等によって実現される。なお、端末装置は、通信装置の一例である。つまり、テレビ会議システムでは、テレビ会議を行うための端末装置として、お互いに画像を送受信することができる構成となっている。
【００１５】
サーバ装置１０２は、例えば、テレビ会議装置１０１−１−テレビ会議装置１０１−４と接続しているか否かの接続状態のモニター、テレビ会議の開始又は終了時の接続制御、テレビ会議中の画像（映像）や音声等のデータの送受信等、テレビ会議の制御を行う。尚、サーバ装置１０２は、テレビ会議装置１０１から得られたデータをエンコードしたり、テレビ会議装置１０１から得られたエンコードされたデータをデコードしたりするコーデック機能を備えていてもよい。上記構成により、例えば、テレビ会議装置１０１−１の利用者は、他のテレビ会議装置１０１−２−テレビ会議装置１０１−４の利用者と、リアルタイムに送受信される画像や音声を介してテレビ会議を行うことができる。
【００１６】
尚、図１の構成は一例である。例えば、テレビ会議システム１００を構成するテレビ会議装置１０１の数は２つ以上の任意の数であってよい。また、サーバ装置１０２は、複数のサーバで構成されるもの等であってもよい。
【００１７】
＜テレビ会議装置１０１＞
図２は、テレビ会議装置の一実施例を示すハードウェア構成図である。テレビ会議装置１０１は、一般的なコンピュータの構成を含んでおり、例えば、ＣＰＵ（Central Processing Unit）２０１、ＲＡＭ（Random Access Memory）２０２、ＲＯＭ（Read Only Memory）２０３、ＥＥＰＲＯＭ（Electrically Erasable Programmable Read-Only Memory）２０４、カメラ２０５、スピーカ２０６、通信Ｉ／Ｆ部（Interface）部２０７、コーデック部２０８、画像処理部２０９、表示部２１０、操作部２１１、マイク２１２、及びバス２１３等を有する。尚、テレビ会議装置１０１は、通信装置の一例である。
【００１８】
ＣＰＵ２０１は、ＲＯＭ２０３等からプログラムやデータを読み出し、処理を実行することで、テレビ会議装置１０１が備える様々な機能を実現する演算装置である。ＲＡＭ２０２は、ＣＰＵ２０１のワークエリア等として利用される揮発性のメモリである。ＲＯＭ２０３は、プログラムやデータ等を記憶する不揮発性のメモリである。ＥＥＰＲＯＭ２０４は、例えば、テレビ会議装置１０１の設定値や、補正情報等を記憶する不揮発性のメモリである。
【００１９】
カメラ２０５は、例えば、ＣＰＵ２０１等の制御に従って、テレビ会議の参加者等の画像を撮像する手段であり、例えば、ＣＭＯＳ(Complementary Metal Oxide Semiconductor)や、ＣＣＤ（Charge Coupled Device）等の撮像素子を含む。
【００２０】
スピーカ２０６は、通信先のテレビ会議装置１０１等から受信した音声信号を音声に変換して出力する。マイク２１２は、例えば、テレビ会議の参加者の音声等を取得し音声信号に変換する。
【００２１】
通信Ｉ／Ｆ部２０７は、テレビ会議装置１０１をネットワーク１０３に接続し、他のテレビ会議装置１０１や、サーバ装置１０２等とデータの送受信を行うためのインタフェースである。
【００２２】
コーデック部２０８は、サーバ装置１０２を介して通信先のテレビ会議装置１０１に送信する画像や音声を符号化し、また、通信先のテレビ会議装置１０１から受信したデータを画像や、データに復号する。
【００２３】
画像処理部２０９は、例えば、ＣＰＵ２０１等の制御に従って、送受信する会議画像等に画像処理を行う。
【００２４】
表示部２１０は、例えば、通信先のテレビ会議装置１０１から受信した画像等を表示する、例えば、ＬＣＤ（Liquid Crystal Display）等のディスプレイ、プロジェクタ等の表示装置である。
【００２５】
操作部２１１は、操作ボタンや、キーボード等、テレビ会議装置１０１がユーザーの操作を受付けるための手段である。バス２１３は、例えば、アドレスバス、データバス、及び各種制御信号等を伝達する。
【００２６】
尚、上記構成はあくまで一例であって、本発明を限定するものではない。例えば、ＲＯＭ２０３とＥＥＰＲＯＭ２０４は、一つのフラッシュＲＯＭ等であってもよい。また、テレビ会議装置１０１は、例えば、ＨＤＤ（Hard Disk Drive）、ＳＳＤ（Solid State Drive）等のストレージデバイスをさらに有していてもよい。
【００２７】
さらに、テレビ会議装置１０１は、フラッシュメモリ等の記録メディアに対するデータの読み出し又は書き込み（記憶）を制御するメディアドライブを備えることもできる。さらに、テレビ会議装置１０１は、着脱可能な記録媒体の一例としてのＣＤ−ＲＯＭ(Compact Disc Read Only Memory)に対する各種データの読み出し又は書き込みを制御するＣＤ−ＲＯＭドライブを備えることもできる。記録メディア、及び記録媒体には、テレビ会議装置用のプログラムを記憶することができる。
【００２８】
また、コーデック部２０８は、サーバ装置１０２が有していてもよいし、ＣＰＵ２０１で動作するプログラム等によって実現されるものであってもよい。また、画像処理部２０９は、例えば、ＣＰＵ２０１で動作するプログラム等によって実現されるものであってもよい。
【００２９】
＜サーバ装置１０２＞
図３は、サーバ装置の一実施例を示すハードウェア構成図である。サーバ装置１０２は、ＣＰＵ３０１、ＲＡＭ３０２、ＲＯＭ３０３、ＥＥＰＲＯＭ３０４、通信Ｉ／Ｆ部３０５、コーデック部３０６、及び画像処理部３０７等を有する。尚、サーバ装置１０２は、通信装置の一例である。
【００３０】
ＣＰＵ３０１は、ＲＯＭ３０３等からプログラムやデータを読み出し、処理を実行することで、サーバ装置１０２が備える様々な機能を実現する演算装置である。ＲＡＭ３０２は、ＣＰＵ３０１のワークエリア等として利用される揮発性のメモリである。ＲＯＭ３０３は、サーバ装置用のプログラムやデータ等を記憶する不揮発性のメモリである。ＥＥＰＲＯＭ３０４は、例えば、サーバ装置１０２の設定値や、補正情報等を記憶する不揮発性のメモリである。
【００３１】
通信Ｉ／Ｆ部３０５は、サーバ装置１０２をネットワーク１０３に接続し、テレビ会議装置１０１等とデータの送受信を行うためのインタフェースである。
【００３２】
コーデック部３０６は、通信元のテレビ会議装置１０１から受信したデータを画像や、データに復号するとともに、通信先のテレビ会議装置１０１に送信する画像や音声を符号化する。
【００３３】
画像処理部３０７は、例えば、ＣＰＵ３０１等の制御に従って、送受信する会議画像等に画像処理を行う。バス３０８は、例えば、アドレスバス、データバス、及び各種制御信号等を伝達する。
【００３４】
尚、上記構成はあくまで一例であって、本発明を限定するものではない。例えば、ＲＯＭ３０３とＥＥＰＲＯＭ３０４は、一つのフラッシュＲＯＭ等であってもよい。また、サーバ装置１０２は、例えば、ＨＤＤ、ＳＳＤ等のストレージデバイスをさらに有していてもよい。
【００３５】
さらに、サーバ装置１０２は、フラッシュメモリ等の記録メディアに対するデータの読み出し又は書き込み（記憶）を制御するメディアドライブを備えることもできる。さらに、サーバ装置１０２は、着脱可能な記録媒体の一例としてのＣＤ−ＲＯＭに対する各種データの読み出し又は書き込みを制御するＣＤ−ＲＯＭドライブを備えることもできる。記録メディア、及び記録媒体には、サーバ装置用のプログラムを記憶することができる。
【００３６】
また、コーデック部３０６は、テレビ会議装置１０１が有していてもよいし、ＣＰＵ３０１で動作するプログラム等によって実現されるものであってもよい。また、画像処理部３０７は、例えば、ＣＰＵ３０１で動作するプログラム等によって実現されるものであってもよい。
【００３７】
＜テレビ会議装置１０１の機能構成＞
図４は、一実施例に係るテレビ会議装置の主要構成の機能ブロック図を示す。図４において、テレビ会議装置１０１は、通信制御部４０２、表示制御部４０４、補正対象映像選択処理部４０６、及び補正カーブ選択処理部４０８を備えている。これら各部は、図２に示されている各構成要素のいずれかが、ＲＯＭ２０３及びＥＥＰＲＯＭ２０４の一方又は両方に記憶されているプログラムに従ったＣＰＵ２０１からの命令によって動作することで実現される機能又は手段である。
【００３８】
＜テレビ会議装置１０１の各機能構成＞
テレビ会議装置１０１の通信制御部４０２は、図２に示されている通信Ｉ／Ｆ部２０７によって実現され、ネットワーク１０３を介して他のテレビ会議装置１０１、サーバ装置１０２又はシステムと各種データ（情報）の送受信を行う。
【００３９】
テレビ会議装置１０１の表示制御部４０４は、図２に示されているコーデック部２０８、画像処理部２０９、及び表示部２１０によって実現され、サーバ装置１０２を経由して他のテレビ会議装置１０１から送信される映像を表示する制御を行う。
【００４０】
テレビ会議装置１０１の補正対象映像選択処理部４０６は、図２に示されている操作部２１１、及びＣＰＵ１０１からの命令によって実現される。補正対象映像選択処理部４０６は、操作部２１１を操作することによって、テレビ会議装置１０１の利用者が選択した映像を表す情報を通信制御部４０２からサーバ装置１０２へ送信する。テレビ会議装置１０１の利用者は、表示部２１０に表示される通信相手の映像にガンマ補正等の調整を行いたい場合に、その映像を選択する操作を行うことができる。
【００４１】
テレビ会議装置１０１の補正カーブ選択処理部４０８は、図２に示されている操作部２１１、及びＣＰＵ１０１からの命令によって実現される。補正カーブ選択処理部４０８は、操作部２１１を操作することによって、テレビ会議装置１０１の利用者が選択した映像に対してガンマ補正等の調整を行う際に利用する補正カーブ（ガンマカーブ）等のパラメータを表す情報を通信制御部４０２からサーバ装置１０２へ送信する。テレビ会議装置１０１の利用者は、表示部２１０に表示される通信相手の映像にガンマ補正等の調整を行いたい場合に、その映像を選択するとともに、その映像に対してガンマ補正を行う際に利用する補正カーブを選択する操作を行うことができる。
【００４２】
＜ガンマ特性＞
図５は、会議を行う拠点ごとのディスプレイのガンマ特性、及びカメラのガンマ補正に利用するガンマ補正カーブの違いの一例を示す。３拠点（拠点Ａ、拠点Ｂ、及び拠点Ｃ）の間で会議を行う場合に、拠点ごとのディスプレイのガンマ特性、及びカメラのガンマ補正カーブの違いの一例を表す。
【００４３】
経年劣化やメーカーの設計思想等の違いにより、拠点間でディスプレイのガンマ特性、カメラのガンマ補正カーブが異なることがある。
【００４４】
図６は、多拠点間での会議映像の一例について示し、拠点Ｃのディスプレイに表示される拠点Ａの会議映像と、拠点Ｂの会議映像を示す。経年劣化やメーカーの設計思想等の違いによりディスプレイのガンマ特性、カメラのガンマ補正カーブが異なるため、拠点Ｃのディスプレイに表示される拠点Ａのテレビ会議システムのカメラで撮影した映像と、拠点Ｂのテレビ会議システムのカメラで撮影した映像は、コントラストが異なることがある。図６に示される例では、拠点Ａのテレビ会議システムのカメラで撮影した映像のコントラストははっきりしているのに対し、拠点Ｂのテレビ会議システムのカメラで撮影した映像のコントラストは、拠点Ａと比較してはっきりしていない。
【００４５】
従来のテレビ会議システムでは、拠点Ｃのディスプレイのガンマ補正を行う場合、拠点Ａの映像及び拠点Ｂの映像のいずれか一方に最適な調整は行えるが、両方に最適な調整はできなかった。
【００４６】
＜サーバ装置１０２の機能構成＞
図７は、一実施例に係るサーバ装置１０２の主要構成の機能ブロック図を示す。図７において、サーバ装置１０２は、通信制御部５０２、復号部５０３、補正対象映像取得部５０４、補正カーブ取得部５０６、補正カーブ記憶部５０８、補正部５１０、及び符号化部５１２を備えている。これら各部は、図３に示されている各構成要素のいずれかが、ＲＯＭ３０３及びＥＥＰＲＯＭ３０４の一方又は両方に記憶されているプログラムに従ったＣＰＵ３０１からの命令によって動作することで実現される機能又は手段である。
【００４７】
＜サーバ装置１０２の各機能構成＞
サーバ装置１０２の通信制御部５０２は、図３に示されている通信Ｉ／Ｆ部３０５によって実現され、ネットワーク１０３を介してテレビ会議装置１０１と各種データ（情報）の送受信を行う。
【００４８】
サーバ装置１０２の復号部５０３は、図３に示されているコーデック部３０６によって実現され、通信制御部５０２によって受信されるテレビ会議装置１０１によって送信される映像ストリーム等の各種データを復号し、補正対象映像取得部５０４へ入力する。
【００４９】
サーバ装置１０２の補正対象映像取得部５０４は、図３に示されているＣＰＵ３０１からの命令によって実現される。補正対象映像取得部５０４は、復号部５０３から入力される復号された各種データからテレビ会議装置１０１の利用者が選択した映像を表す識別情報を取得し、映像ストリームを復号することによって復元された映像信号とともに補正部５１０に入力する。
【００５０】
サーバ装置１０２の補正カーブ記憶部５０８は、図３に示されているＲＯＭ３０３及びＥＥＰＲＯＭ３０４の一方又は両方によって実現される。補正カーブ記憶部５０８は、補正カーブを表す識別情報（補正カーブ識別情報）と補正カーブとを紐付けて記憶する。
【００５１】
サーバ装置１０２の補正カーブ取得部５０６は、図３に示されているＣＰＵ３０１からの命令によって実現される。補正カーブ取得部５０６は、テレビ会議装置１０１から送信されるそのテレビ会議装置１０１の利用者が選択した補正カーブを表す情報を取得する。補正カーブ取得部５０６は、補正カーブ記憶部５０８に記憶される補正カーブから、補正カーブを表す情報に紐付けられた補正カーブを取得し、補正部５１０に入力する。
【００５２】
サーバ装置１０２の補正部５１０は、図３に示されている画像処理部３０７、及びＣＰＵ３０１からの命令によって実現される。補正部５１０は、補正対象映像取得部５０４から入力される映像信号に対して、補正カーブ取得部５０６から入力される補正カーブにしたがってガンマ補正を行い、符号化部５１２へ入力する。
【００５３】
サーバ装置１０２の符号化部５１２は、図３に示されているコーデック部３０６によって実現され、補正部５１０から入力されるガンマ補正された映像信号を符号化することによって映像ストリームを生成し、通信制御部５０２へ入力する。
【００５４】
通信制御部５０２は、符号化部５１２から入力されるガンマ補正された映像信号を符号化することによって生成される映像ストリームをガンマ補正を要求したテレビ会議装置へ送信する。
【００５５】
図８は、サーバ装置１０２の動作を示す。図６に示したように拠点Ｃのディスプレイに表示される拠点Ａの会議映像、及び拠点Ｂの会議映像は、各拠点でのカメラのガンマ特性とガンマ補正カーブとの関係で、コントラストや階調性が得られないことがある。
【００５６】
本実施形態に係るサーバ装置１０２には、予め複数のガンマ補正カーブが用意される。拠点Ｃのテレビ会議システムでは、拠点Ｃのユーザが、拠点Ａから送信された映像、及び拠点Ｂから送信された映像を補正する際に利用する適切なガンマ補正カーブを選択する。サーバ装置１０２は、拠点Ｃのユーザによって選択されたガンマ補正カーブを利用して、該ユーザによって選択された映像に対してガンマ補正を行う。これによって、ガンマ補正された映像は、適切な協調性が得られたものとなる。
【００５７】
＜テレビ会議システムの動作＞
図９は、テレビ会議システムの動作を示す。
【００５８】
図９に示される動作の前提として、異なる拠点のテレビ会議装置１０１−１、及び１０１−２とがサーバ装置１０２を介して接続され、テレビ会議が開始されるまでの処理は行われている。
【００５９】
ステップＳ９０２では、テレビ会議装置１０１−１は、サーバ装置１０２へ会議映像(映像ストリーム)を送出する。テレビ会議装置１０１−１のカメラ２０５によって撮影された映像は、画像処理部２０９によって画像処理され、コーデック部２０８によって符号化された後に、通信Ｉ／Ｆ部２０７から送信される。ステップＳ９０２以降においてもテレビ会議装置１０１−１は、サーバ装置１０２へ会議映像を送出し続ける。
【００６０】
ステップＳ９０４では、サーバ装置１０２は、テレビ会議装置１０１−１から送信された会議映像をテレビ会議装置１０１−２に配信する。テレビ会議装置１０１−１から送信された会議映像は、サーバ装置１０２の通信Ｉ／Ｆ部３０５によって受信される。サーバ装置１０２の通信制御部５０２は、テレビ会議装置１０１−１から送信された会議映像をテレビ会議装置１０１−２へ配信する。
【００６１】
ステップＳ９０６では、テレビ会議を開始した後に、テレビ会議装置１０１−２の表示部２１０に表示された会議映像にガンマ補正をかけたい場合、ユーザは、操作部２１１を操作することによって、その会議映像を選択することができる。操作部２１１によって会議映像が選択されると、補正対象映像選択処理部４０６は、ユーザによって選択した映像を表す情報を通信制御部４０２に入力する。さらに、ユーザは、その会議映像に対してガンマ補正する際に利用する補正カーブを選択することができる。ユーザは、操作部２１１を操作することによって、予め用意されているいくつかのガンマ補正カーブから、その会議映像に対してガンマ補正する際に利用する補正カーブを選択することができる。操作部２１１によって補正カーブが選択されると、補正カーブ選択処理部４０８は、ユーザによって選択した補正カーブを表す情報を通信制御部４０２に入力する。通信制御部４０２は、補正対象映像選択処理部４０６によって入力された映像を表す情報、及び補正カーブ選択処理部４０８によって入力された補正カーブを表す情報を付帯したガンマ補正要求をサーバ装置１０２へ送信する。
【００６２】
ステップＳ９０８では、サーバ装置１０２は、テレビ会議装置１０１−１から送信される会議映像を復号することによって映像信号を復元し、ユーザによって選択されたガンマ補正カーブを用いて該映像信号をガンマ補正し、ガンマ補正した映像信号を符号化することによって映像ストリームを生成し、テレビ会議装置１０１−２へ配信する。
【００６３】
ステップＳ９１０では、テレビ会議装置１０１−２の表示部２１０には、サーバ装置１０２によってガンマ補正された映像が表示される。ユーザは、そのガンマ補正された映像を採用するか否かを決定する。ここでは、そのガンマ補正された映像を採用しない場合について説明する。ユーザは、操作部２１１を操作することによって、その会議映像を再度選択する。操作部２１１によって会議映像が選択されると、補正対象映像選択処理部４０６は、ユーザによって選択した映像を表す情報を通信制御部４０２に入力する。さらに、ユーザは、その会議映像に対してガンマ補正する際に利用する補正カーブを再度選択することができる。ユーザは、操作部２１１を操作することによって、予め用意されているいくつかのガンマ補正カーブから、その会議映像に対してガンマ補正する際に利用する補正カーブを選択することができる。操作部２１１によって補正カーブが選択されると、補正カーブ選択処理部４０８は、ユーザによって選択した補正カーブを表す情報を通信制御部４０２に入力する。通信制御部４０２は、補正対象映像選択処理部４０６によって入力された映像を表す情報、及び補正カーブ選択処理部４０８によって入力された補正カーブを表す情報を付帯したガンマ補正要求をサーバ装置１０２へ送信する。
【００６４】
ステップＳ９１２では、サーバ装置１０２は、テレビ会議装置１０１−１から送信される会議映像をユーザによって選択されたガンマ補正カーブを用いて補正し、テレビ会議装置１０１−２へ配信する。その結果、テレビ会議を進めることもできる。
【００６５】
＜テレビ会議装置の動作＞
図１０は、テレビ会議装置１０１の動作を示す。図１０に示される動作の前提として、各拠点のテレビ会議装置とサーバ装置１０２との間で接続され、テレビ会議が開始されるまでの処理は行われている。テレビ会議装置には、他のテレビ会議装置から送信される映像が表示されている。
【００６６】
ステップＳ１００２では、テレビ会議を開始した後に、受信側のテレビ会議システムのテレビ会議装置１０１の表示部２１０に、ガンマ補正が適切にかけられていない映像が表示されている。ユーザは、その映像に再度ガンマ補正をかけたい場合、操作部２１１を操作することによって、その会議映像を選択する。操作部２１１によって会議映像が選択されると、補正対象映像選択処理部４０６は、ユーザによって選択した映像を表す情報を通信制御部４０２に入力する。
【００６７】
ステップＳ１００４では、ユーザは、ガンマ補正をかけたい映像を選択した後、その映像に対してガンマ補正する際に利用する補正カーブを選択することができる。ユーザは、操作部２１１を操作することによって、予め用意されているいくつかのガンマ補正カーブから、その会議映像に対してガンマ補正する際に利用する補正カーブを選択する。操作部２１１によって補正カーブが選択されると、補正カーブ選択処理部４０８は、ユーザによって選択した補正カーブを表す情報を通信制御部４０２に入力する。通信制御部４０２は、ユーザによって選択した映像を表す情報、及びユーザによって選択した補正カーブを表す情報を付帯したガンマ補正要求を、サーバ装置１０２へ送信する。
【００６８】
サーバ装置１０２は、送信側から送信される映像をユーザによって選択されたガンマ補正カーブを用いて補正し、テレビ会議装置１０１へ送信する。
【００６９】
ステップＳ１００６では、受信側のテレビ会議システムのテレビ会議装置１０１の表示部２１０には、サーバ装置１０２によってガンマ補正された映像が表示される。ユーザは、そのガンマ補正された映像を採用するか否かを決定する。ここでは、ユーザは、そのガンマ補正された映像を採用すると判断する。そのガンマ補正された映像を採用しない場合には、ステップＳ１００４からの処理を行うようにできる。
【００７０】
ステップＳ１００８では、多拠点間で会議を行っている場合は、その他に映像補正が必要な拠点はないかを判断する。その他に映像補正が必要な拠点がある場合には、ステップＳ１００２からの処理が実行される。その他に映像補正が必要な拠点が無い場合には、補正を完了する。その結果、テレビ会議を進めることもできる。
【００７１】
＜サーバ装置の動作＞
図１１は、サーバ装置１０２の動作を示す。
【００７２】
図１１に示される動作の前提として、各拠点のテレビ会議装置とサーバ装置１０２との間で接続され、テレビ会議が開始されるまでの処理は行われている。テレビ会議装置には、他のテレビ会議装置から送信される映像ストリームに基づく映像が表示されている。
【００７３】
ステップＳ１１０２では、サーバ装置１０２は、受信側のテレビ会議装置から送信されるガンマ補正要求を受信したか否かを判定する。サーバ装置１０２の通信制御部５０２は、受信側のテレビ会議装置から送信されるガンマ補正要求を受信したか否かを判定する。ガンマ補正要求を受信しないと判定した場合、ステップＳ１１０２へ戻り、再度ガンマ補正要求を受信したか否かを判定する処理から実行される。
【００７４】
ステップＳ１１０４では、ステップＳ１１０２でガンマ補正要求を受信したと判定した場合、サーバ装置１０２の復号部５０３によって映像ストリームが復号されることによって映像信号が復元され、該映像信号は補正対象映像取得部５０４へ入力される。また、サーバ装置１０２の補正対象映像取得部５０４によってガンマ補正要求に付帯される映像を表す情報が取得され、補正カーブ取得部５０６によってガンマ補正要求に付帯される補正カーブを表す情報が取得される。補正部５１０は、補正対象映像取得部５０４によって取得される映像信号を補正カーブ取得部５０６によって取得されるガンマ補正カーブを用いて補正する。
【００７５】
ステップＳ１１０６では、サーバ装置１０２の符号化部５１２は、補正部５１０によってガンマ補正した映像信号を符号化することによって映像ストリームを生成し、該映像ストリームをを通信制御部５０２へ入力する。通信制御部５０２は、補正した映像を通信Ｉ／Ｆ部３０５から受信側のテレビ会議装置へ送信する。
【００７６】
その後、ステップＳ１１０２へ戻る。
【００７７】
テレビ会議システムの一実施例によれば、サーバ装置にガンマ補正等の映像の調整をする際に利用するガンマ補正カーブ等のパラメータを予め複数用意し、受信側で表示される映像に応じてガンマ補正カーブを選択できるため、受信側のディスプレイのガンマ特性に合わせてガンマ補正を行い、配信することができる。
【００７８】
テレビ会議システムは通信システムの一例である。また、テレビ会議装置において、テレビ会議装置は第１の通信装置、及び第２の通信装置の一例であり、補正対象映像選択処理部、及び補正カーブ選択処理部は映像調整要求信号作成部の一例であり、通信制御部は送信部の一例である。また、サーバ装置において、補正対象映像取得部、補正カーブ取得部、及び補正部は映像調整部の一例であり、補正カーブ記憶部は記憶部の一例であり、通信制御部は送信部、及び受信部の一例である。
【００７９】
本発明は特定の実施例を参照しながら説明されてきたが、実施例は単なる例示に過ぎず、当業者は様々な変形例、修正例、代替例、置換例等を理解するであろう。説明の便宜上、本発明の実施例に従った装置は機能的なブロック図を用いて説明されたが、そのような装置はハードウェアで、ソフトウエアで又はそれらの組み合わせで実現されてもよい。本発明は上記実施例に限定されず、本発明の精神から逸脱することなく、様々な変形例、修正例、代替例、置換例等が包含される。
【符号の説明】
【００８０】
１００  テレビ会議システム
１０１−１  テレビ会議装置
１０１−２  テレビ会議装置
１０１−３  テレビ会議装置
１０１−４  テレビ会議装置
１０２  サーバ装置
１０３  ネットワーク
２０１  ＣＰＵ
２０２  ＲＡＭ
２０３  ＲＯＭ
２０４  ＥＥＰＲＯＭ
２０５  カメラ
２０６  スピーカ
２０７  通信Ｉ／Ｆ部
２０８  コーデック部
２０９  画像処理部
２１０  表示部
２１１  操作部
２１２  マイク
２１３  バス
３０１  ＣＰＵ
３０２  ＲＡＭ
３０３  ＲＯＭ
３０４  ＥＥＰＲＯＭ
３０５  通信Ｉ／Ｆ部
３０６  コーデック部
３０７  画像処理部
３０８  バス
４０２  通信制御部
４０４  表示制御部
４０６  補正対象映像選択処理部
４０８  補正カーブ選択処理部
５０２  通信制御部
５０４  補正対象映像取得部
５０６  補正カーブ取得部
５０８  補正カーブ記憶部
５１０  補正部
【先行技術文献】
【特許文献】
【００８１】
【特許文献１】特開２００７−１３５０３２号公報
【図１】
2016040862.tif 000003
【図２】
2016040862.tif 000004
【図３】
2016040862.tif 000005
【図４】
2016040862.tif 000006
【図５】
2016040862.tif 000007
【図７】
2016040862.tif 000008
【図９】
2016040862.tif 000009
【図１０】
2016040862.tif 000010
【図１１】
2016040862.tif 000011
【図６】
2016040862.tif 000012
【図８】
2016040862.tif 000013